(57)【要約】【課題】簡単かつ短時間で洗濯槽などを洗浄できるようにした洗浄組成物を提供することを目的とする。【解決手段】洗濯槽１に顆粒状の過炭酸ナトリウム５を入れ、高水位に注水したのちに洗濯槽１のドラム２を回転させる。そして、１５分ほどドラム２を回転させて洗濯槽１の汚れを除去させたのち、過炭酸ナトリウム５に対して４〜７重量パーセントのカタラーゼ６を入れて再び洗濯槽１のドラム２を回転させる。そして、このカタラーゼの働きによって発生した過酸化水素や酸素によってカビを漂白・除菌するとともに、発生した泡によって汚れを表面に浮かび上がらせて網などで取り除けるようにする。【選択図】図３
2018012753.tif 000002
【特許請求の範囲】
【請求項１】
過炭酸ナトリウムと、
当該過炭酸ナトリウムと分離して設けられたカタラーゼと、
からなる洗浄組成物。
【請求項２】
前記カタラーゼを過炭酸ナトリウムに対して、重量比率で４〜７重量パーセントとした請求項１に記載の洗浄組成物。
【請求項３】
洗濯槽に過炭酸ナトリウムを入れる工程と、
注水した洗濯槽のドラムを回転させる工程と、
所定時間後、前記過炭酸ナトリウム水溶液にカタラーゼを入れて前記ドラムを回転させる工程と、
を備えたことを特徴とする洗濯槽の洗浄方法。
【請求項４】
前記カタラーゼを過炭酸ナトリウムに対して、重量比率で４〜７重量パーセントとした請求項３に記載の洗濯槽の洗浄方法。
【発明の詳細な説明】
【技術分野】
【０００１】
本発明は、洗濯槽の内側などに付着した汚れを除去できるようにした洗浄組成物に関するものであり、より詳しくは、過酸化水素系洗浄剤を用いて、簡単かつ短時間に汚れを除去できるようにしたものである。
【背景技術】
【０００２】
一般に、洗濯槽の内側には、長期間の使用によってカビや石鹸カス、水垢、皮脂成分などが付着してしまう。このため、定期的に洗濯槽を洗浄して、汚れが洗濯物に付着するのを防止したり、異臭が洗濯物に移ったりしないようにするのが好ましい。
【０００３】
このような洗濯槽を洗浄する洗浄剤としては、次亜塩素酸ソーダなどの塩素系の洗浄剤が従来より用いられている。しかしながら、このような塩素系の洗浄剤は、塩素ガスを発生させるために、使用に際して相当の注意を払わなければならないといった問題があった（特許文献１）。
【０００４】
これに対して、過酸化水素系洗浄剤を用いて洗濯槽を洗浄する方法も提案されている（特許文献１）。このような洗浄剤は、水に溶解することによって発生する過酸化水素によって汚れを酸化分解し、洗濯槽からその汚れを剥離させるようにしたものである。
【先行技術文献】
【特許文献】
【０００５】
【特許文献１】特開２００１−３０９０号公報
【発明の概要】
【発明が解決しようとする課題】
【０００６】
しかしながら、この過酸化水素系洗浄剤を用いた場合、水温による反応性に依存するところが大きいため、常温での水を使用した場合、長時間反応を待たなければならないといった問題があった。これに対して、有機過酸化水素物は、低温での反応性も高いことが知られているが、危険物として取り扱われるため、一般家庭での使用には向かないという問題もあった。
【０００７】
そこで、本発明は、危険物を使用することなく、簡単かつ短時間に洗濯槽などを洗浄できるようにした洗浄組成物を提供することを目的とする。
【課題を解決するための手段】
【０００８】
すなわち、本発明は上記課題を解決するために、洗濯槽などに満たされた水に投入される過炭酸ナトリウムと、当該過炭酸ナトリウムと分離して設けられ、過炭酸ナトリウム水溶液に後から投入されるカタラーゼとを設けるようにしたものである。
【０００９】
このようにすれば、水溶液中で過炭酸ナトリウムを反応させて炭酸ナトリウムによって石鹸カスなどを除去することができるとともに、その後、カタラーゼで反応を促進させることによって、過酸化水素や酸素によって内側のカビを殺菌・除去させることができるようになる。
【００１０】
また、このような発明において、カタラーゼを、過炭酸ナトリウムに対して重量比率で４〜７重量パーセントの範囲で配合させる。
【００１１】
このような比率で配合させれば、常温水の過炭酸ナトリウム水溶液にカタラーゼを投入させた場合であっても、最適な量の泡によって汚れを浮き上がらせることができるとともに、洗濯槽から泡が噴き出すようなこともなくなる。
【００１２】
また、このような洗浄剤を用いる場合、洗濯槽に過炭酸ナトリウムを入れ、その後、注入した洗濯槽のドラムを所定時間回転させてから、前記過炭酸ナトリウムに対して重量比率で４〜７重量パーセントのカタラーゼを入れて前記ドラムを回転させるようにする。
【００１３】
このようにすれば、過炭酸ナトリウムによって洗濯槽内の石鹸カスを除去したのち、その内側に隠れていたカビを殺菌・除去することができる。しかも、カタラーゼの比率を過炭酸ナトリウムに対して４〜７重量パーセントとしたので、最適な量の泡を発生させて汚れを浮かび上がらせることができ、その浮かび上がった汚れをすくい取ってから排水させることができるようになる。
【発明の効果】
【００１４】
本発明によれば、被洗浄物に満たされた水に投入される過炭酸ナトリウムと、当該過炭酸ナトリウムと分離して設けられ、後から投入することのできるカタラーゼとを備えるようにしたので、水溶液中で過炭酸ナトリウムを反応させて炭酸ナトリウムによって石鹸カスなどを除去することができるとともに、その後、カタラーゼで反応を促進させることによって、過酸化水素や酸素によって内側のカビを殺菌・除去させることができるようになる。
【図面の簡単な説明】
【００１５】
【図１】本発明における洗濯槽の内側に付着した汚れの状態を示した図
【図２】同形態における洗浄剤の投入方法を示す図
【図３】同形態における洗濯槽を洗浄する工程を示した図
【発明を実施するための形態】
【００１６】
以下、本発明の一実施の形態について説明する。
【００１７】
この実施の形態における洗浄組成物は、図２に示すような洗濯槽１や、風呂釜、食器、水筒などのように水を入れることができるものを洗浄できるようにしたものであって、炭酸ナトリウムと過酸化水素を２：３のモル比で混合させた炭酸ソーダ過酸化水素付加物（以下、「過炭酸ナトリウム」と称する）と、カタラーゼとを分離して設けるようにしたものである。
【００１８】
この過炭酸ナトリウムは、水溶性の無色の固体であって、水溶液中では炭酸ナトリウムと過酸化水素に分解する。この分解した炭酸ナトリウムにより、水溶液は弱塩基性を示し、一方、過酸化水素により酸化力を持つことになる。この分解により発生した過酸化水素は、過酸化水素水と同様に酸化力を持つため、漂白剤や除菌剤、消臭剤としての機能を持つことができる。また、この過酸化水素は、水溶液中で放置するだけで水と酸素に分解し、また、炭酸ナトリウムもほぼ無害であるため、環境への影響を小さくすることができる。この炭酸ナトリウムは、石鹸のアルカリ助剤としての機能を有し、汚れを包み込んで沈殿させる役割や、洗浄液をアルカリ性として汚れの油脂や脂肪酸を石鹸に変える役割、また、アルカリ緩衝作用に基づいて水溶液を好適なｐＨに維持する役割などを果たす。この過炭酸ナトリウムは、顆粒状に構成されており、反応性を良くするために散布させるように洗濯槽１に投入される。
【００１９】
一方、カタラーゼは、過酸化水素を不均化して酸素と水に変える反応を触媒する酵素であって、動物の肝臓、腎臓のような臓器、赤血球等、植物並びに微生物等から抽出・精製される。このカタラーゼは、過炭酸ナトリウムへ添加されることによって、過炭酸ナトリウムの分解速度を促進して多量の酸素を発生させることができる。このカタラーゼの形態としては、反応を促進させるために液体状のものを用い、先の過炭酸ナトリウムとは別の容器に収容しておくようにする。
【００２０】
このような過炭酸ナトリウムやカタラーゼの量や成分比率としては、次のようにしておくのが好ましい。
【００２１】
例えば、一般家庭用の標準的な９リットルサイズの洗濯機を洗浄する場合（標準仕様水量約１００リットルの場合）、過炭酸ナトリウム３７０〜４３０グラム投入できるようにしておく。これに対して、カタラーゼの量としては、短時間に洗浄することができ、かつ、最適な量の泡を発生させる量としておく。すなわち、カタラーゼの量が少ないと、洗浄に時間がかかってしまうばかりでなく、泡の量が少なくなって剥離させた汚れが洗濯槽に沈殿してしまい、その汚れが再び洗濯槽１の内側に付着してしまう可能性がある。一方、カタラーゼの量を多くし過ぎた場合は、大量の泡が発生してしまい、図２に示す洗濯槽１の開口部分から泡が噴き出してしまう可能性がある。このため、カタラーゼの量としては、過炭酸ナトリウムに対して重量比率で４〜１５重量パーセントの比率で用意しておく。なお、洗濯槽１を洗浄するに際して、ドラム２を回転させながら洗浄すると、そのドラム２の回転によってもさらに反応が促進されて泡が発生するため、重量比率で４〜７重量パーセントの範囲内としておく。すなわち、９リットルサイズの洗濯機の洗濯槽１を洗浄する場合、１５グラム〜３０グラムの範囲内で投入できるようにしておく。このカタラーゼの量については、水温によって適宜調整しながら洗濯槽１に投入するようにしてもよく、例えば、風呂の残り湯を使用して洗濯槽１を洗浄する場合は、カタラーゼの量を少なくするようにしてもよい。
【００２２】
次に、このような洗浄組成物を用いて洗濯槽１を洗浄する方法について、図３の工程図を用いて説明する。なお、この洗濯槽１には、図１に示すように、洗濯槽１の内側やドラム２の表面などにカビなどが発生し、さらに、その上に石鹸カスなどがカビを覆うように付着しているものとする。
【００２３】
このような洗濯槽１を洗浄する場合、洗濯槽１に衣類などが入ってないことを確認したうえで、図２に示すように、過炭酸ナトリウム５の粉末を散布するように投入する（ステップＳ１）。そして、その状態で高水位まで給水し（ステップＳ２）、「洗い」コースのみに設定して、約１５分ほどドラム２を回転させる（ステップＳ３）。この給水を行う場合、風呂の残り湯を用いるようにしてもよい。
【００２４】
すると、水で分解した炭酸ナトリウムの作用によって、洗濯槽１内に付着した石鹸カスや皮脂成分などを除去することができ、また、ドラム２を回転させて使用するため、水の力も利用して強制的に汚れを剥離させるようになる（ステップＳ４）。このように剥離した汚れの重いものについては洗濯槽１に沈殿し、軽いものや気泡に付着したものについては浮き上がるようになる。
【００２５】
次に、水を貯めた状態でドラム２の回転を停止させ（ステップＳ５）、先の過炭酸ナトリウム５に対して４〜７重量パーセントの比率のカタラーゼ６を投入する（ステップＳ６）。そして、再び、「洗い」コースに設定してドラム２を回転させ、約５分ほどドラム２を回転させる（ステップＳ７）。
【００２６】
すると、このカタラーゼ６の働きによって過炭酸ナトリウム５の分解が加速され、一気に炭酸ナトリウムと過酸化水素へ分解される。そして、この過酸化水素や酸素の働きによって、カビを漂白したり、除菌、消臭などを行えるようになる。また、このように過酸化水素への反応によって大量の酸素の泡が発生し、炭酸ナトリウムによって除去沈殿した汚れを浮き上がらせて、水の表面から網で汚れをすくいとれるようにすることができるようになる（ステップＳ８）。このとき、泡の量が少なすぎると、汚れを浮き上がらせることができず、逆に、泡の量が多すぎると噴き出す泡に隠れて効率的に汚れを網ですくいとることができなくなるが、この実施の形態では、カタラーゼを４〜７重量パーセントの比率で配合するようにしているため、水の表面から網で汚れをすくいとることができるようになる（ステップＳ９）。
【００２７】
そして、このように汚れを取り除いたのち、高水位のまま「すすぎ」「排水」「脱水」を行えるようにする（ステップＳ１０）。
【００２８】
なお、この洗濯槽１の洗浄においては、縦型洗濯機やドラム式洗濯機の両方で用いることができるが、ドラム式洗濯機の場合は、途中で扉を開けてカタラーゼを投入できるように「最低水位」で注水するようにしておく。
【００２９】
このように上記実施の形態によれば、洗濯槽１に満たされた水に投入される過炭酸ナトリウム５と、当該過炭酸ナトリウム５と分離して設けられ、後から投入することのできるカタラーゼ６とを備えるようにしたので、水溶液中で過炭酸ナトリウム５を反応させて炭酸ナトリウムによって石鹸カスなどを除去することができ、その後、カタラーゼ６で反応を促進させることで、石鹸カスで覆われていたカビを殺菌・除去させることができるようになる。
【００３０】
また、カタラーゼ６を過炭酸ナトリウム５に対して、重量比率で４〜７重量パーセントの範囲で配合させるようにしたので、常温水の過炭酸ナトリウム水溶液にカタラーゼ６を投入させた場合、最適な量の泡によって汚れを浮き上がらせることができるとともに、洗濯槽１から泡を噴き出させるようなこともなくなる。
【００３１】
さらに、洗濯槽１に過炭酸ナトリウム５を入れて注水し、その後、所定時間洗濯槽１のドラム２を回転させてから、前記過炭酸ナトリウム５に対して重量比率で４〜７重量パーセントのカタラーゼ６を入れて前記ドラム２を回転させるようにしたので、炭酸ナトリウムによって洗濯槽１内の石鹸カスを除去したのち、その内側に隠れていたカビを殺菌・除去することができるようになる。しかも、カタラーゼ６の比率を過炭酸ナトリウム５に対して４〜７重量パーセントとしたので、最適な量の泡を発生させて汚れを浮かび上がらせることができ、その浮かび上がった汚れをすくい取ってから排水を行わせることができるようになる。
【００３２】
なお、本発明は上記実施の形態に限定されることなく、種々の態様で実施することができる。
【００３３】
例えば、上記実施の形態では洗濯槽１を洗浄する場合を例に挙げて説明したが、風呂釜を洗浄する場合についても洗浄組成物を用いることができる。
【００３４】
この風呂釜を洗浄する場合、浴槽の循環口より５〜１０ｃｍ上になるように水位を調整し、循環口付近に過炭酸ナトリウムの粉末を入れる。このとき、風呂いすや桶などを洗う必要がある場合は、一緒に浴槽に入れておくようにする。
【００３５】
そして、追い炊き温度を４０〜４３℃に設定して追い炊きを行い、１５分程度経過したのちに、循環口付近にカタラーゼの液体を入れ、洗面器などでかき混ぜる。このとき、追い炊きが停止している場合は、追加で５分ほど追い炊きを行い、その後排水や洗浄などを行う。また、循環口内のすすぎを行うため、再び循環口より５ｃｍほど上まで水を満たし、追い炊きや排水を行い、その後、シャワーなどで流してぬめりを落とす。
【００３６】
また、この風呂釜の洗浄以外に、ヒートポンプ給湯器や食器、水筒などの洗浄にも使用することができる。
【００３７】
さらに、上記実施の形態では、洗濯槽１に過炭酸ナトリウムを入れてから注水するようにしたが、逆に注水した洗濯槽１に過炭酸ナトリウムを入れるようにしてもよい。
【符号の説明】
【００３８】
１・・・洗濯槽
２・・・ドラム
３・・・汚れ
４・・・カビ
５・・・過炭酸ナトリウム
６・・・カタラーゼ
【図１】
2018012753.tif 000003
【図２】
2018012753.tif 000004
【図３】
2018012753.tif 000005